(57)【要約】【課題】小型化を図ることができるガスコンロのガス分配装置、ガバナ装置及びガスコンロを提供する。【解決手段】ガスガバナを配置する配置部６１と、ガスの流路を形成する流路本体部８１を基体８０の一部として一体にダイカスト法により形成する。底面８１Ａに溝状のメイン流路８２を形成し、メイン流路８２の前端部に配置部６１と連通する導入口７６を設ける。メイン流路８２の後端部はガスを上火分配路９０と下火分配路に分配する分配室８５に接続する。分配室８５は中子を用いて凹部状に形成し、下火分配路も中子で筒穴状に形成する。上火分配路９０は第一分配路９１と弁室９５と第二分配路９２を含む。第一分配路９１と第二分配路９２は底面８１Ａに溝状に形成する。メイン流路８２、第一分配路９１、第二分配路９２は、前後方向に延びる部分と左右方向に延びる部分を組み合わせるので基体８０ひいてはガバナ装置の小型化を図ることができる。【選択図】図７
2019027658.tif 000002
【特許請求の範囲】
【請求項１】
ガスコンロの筐体内に設けられるグリル庫内に収容する被調理物を加熱する上火バーナ及び下火バーナと、ガスの供給圧を調圧して前記上火バーナ及び前記下火バーナにガスを供給するガスガバナとの間に設けられ、前記ガスガバナから供給されるガスを流通し、前記上火バーナと前記下火バーナに分配するガスコンロのガス分配装置であって、
ガスの流路が形成される流路本体部と、
前記流路本体部の一端部側に設けられ、前記ガスガバナから供給されるガスの入口である導入口と、
前記導入口から前記流路本体部の他端部側へ向けて延びる流路であるメイン流路と、
前記他端部にて凹部形成され、凹部内にて前記メイン流路に連通し、前記メイン流路を介して流入するガスを分配して凹部内の２つの分配口から夫々排出可能な分配室と、
前記分配室の開口部分を蓋し、且つ前記２つの分配口を夫々開閉可能な２つの電磁弁と、
前記流路本体部の外面の一つである第一面に設け、前記下火バーナに供給するガスの出口である下火供給口と、
前記第一面に設け、前記上火バーナに供給するガスの出口である上火供給口と、
前記２つの分配口のうち、一方の分配口から前記下火供給口へ向けて延びるガスの流路である下火分配路と、
前記２つの分配口のうち、他方の分配口から前記上火供給口へ向けて延びるガスの流路である上火分配路と、
を備え、
前記下火分配路と前記上火分配路は夫々、前記メイン流路が延びる第一方向に沿う流路部分である第一流路部分と、前記第一方向に交差する第二方向に沿う流路部分である第二流路部分のうちの少なくとも一方の流路部分を含んで形成され、
前記第一流路部分は、前記分配室と連通し、前記流路本体部内にて前記第一方向に沿って延びる筒穴状に形成された流路であり、
前記第二流路部分は、前記流路本体部の前記第一面とは反対側の第二面にて溝状に形成され、且つ前記第二面に固定される蓋体によって、溝の開放部分が閉じられた流路であること
を特徴とするガスコンロのガス分配装置。
【請求項２】
前記第一面に設け、前記下火供給口よりも前記分配室側にて前記下火分配路に接続し、一定量のガスが通過可能な第一制限弁が配置される第一制限室と、
前記分配室と、前記第一制限室とを接続し、前記第一制限弁によりガスの流量を制限しつつ前記分配室から前記下火分配路にガスをバイパスして流す第一接続路と、
を備え、
前記第一接続路は、前記分配室内から前記第一方向に沿って筒状に延びる前記第一流路部分からなり、前記第一制限室に接続することを特徴とする請求項１に記載のガスコンロのガス分配装置。
【請求項３】
前記下火分配路及び前記上火分配路において、前記分配室と接続する部分は前記第一流路部分によって構成されることを特徴とする請求項１又は２に記載のガスコンロのガス分配装置。
【請求項４】
前記他端部で、前記分配室の前記第二方向の側方に凹部形成し、且つ前記上火分配路の途中に設け、前記上火分配路におけるガスの流通を制御する弁室と、
前記弁室の開口部分を蓋し、且つ凹部内で前記上火分配路との接続口を開閉可能な１つの電磁弁と、
を備え、
前記上火分配路のうち、前記分配室と前記弁室とを接続する第一分配路と、前記弁室と前記上火供給口とを接続する第二分配路は、夫々前記第二流路部分を含み、
前記第一分配路の前記第二流路部分と、前記第二分配路の前記第二流路部分とは、前記メイン流路の側方で、前記分配室に隣接する位置にて、互いに隣接して形成されたこと
を特徴とする請求項１から３のいずれかに記載のガスコンロのガス分配装置。
【請求項５】
前記第一面に設け、前記弁室よりも前記分配室側にて前記上火分配路に接続し、一定量のガスが通過可能な第二制限弁が配置される第二制限室と、
前記分配室と、前記第二制限室とを接続し、前記第二制限弁によりガスの流量を制限しつつ前記分配室から前記上火分配路にガスをバイパスして流す第二接続路と、
を備え、
前記第二接続路は、前記分配室内から前記第一方向に沿って筒状に延びる前記第一流路部分からなり、前記第二制限室に接続することを特徴とする請求項４に記載のガスコンロのガス分配装置。
【請求項６】
前記上火分配路が前記弁室と接続する部分は、前記第一流路部分によって構成されることを特徴とする請求項４又は５に記載のガスコンロのガス分配装置。
【請求項７】
請求項１〜６のいずれかに記載のガスコンロのガス分配装置と、
外部から取り込んだガスの圧力を調圧して供給するガスガバナと、
を備え、
前記流路本体部は、前記一端部に、前記導入口に接続し、且つ外部からガスを取り込む取込口を有し、前記ガスガバナを配置する配置部を一体に設けたこと
を特徴とするガバナ装置。
【請求項８】
前記メイン流路は、前記第二面にて溝状に形成され、溝内に、前記導入口と溝底とを段状に接続する段部を設けたことを特徴とする請求項７に記載のガバナ装置。
【請求項９】
筐体内に、
被調理物を収納するグリル庫と、
前記グリル庫内に収容する被調理物を加熱する上火バーナ及び下火バーナと、
請求項７又は８に記載のガバナ装置と、
前記上火供給口及び前記下火供給口と、前記上火バーナ及び前記下火バーナとを夫々接続するガス管と、
を備えたことを特徴とするガスコンロ。
【発明の詳細な説明】
【技術分野】
【０００１】
本発明はガスコンロのガス分配装置、ガバナ装置及びガスコンロに関する。
【背景技術】
【０００２】
ガスコンロは、被調理物を収納するグリル庫を備える。グリル庫は上火バーナと下火バーナを備え、被調理物を上火と下火で加熱する。グリル庫内を満遍なく加熱するため、ガスは、ガスガバナによって一定圧に保たれた状態で、ガス分配装置によって上火バーナと下火バーナに分配される。例えば特許文献１には、ガスガバナを備え、上火バーナと下火バーナにガスを分配する火力調整機構が記載されている。火力調整機構は、電磁弁を用いてガスの流量を制御するため、内部にて複雑な経路のガスの流路を形成する。
【０００３】
具体的に、特許文献１の火力調整機構は、ガスガバナを配置するガス圧室を有する第１ボディ部材と、電磁弁を配置する凹部を有する第２ボディ部材を備える。第１ボディ部材には、ガス圧室と凹部を連通する主ガス流路と、ガスをバイパスする分岐流路が設けられる。第２ボディ部材には、凹部とガス流出口を連通するガス流路が形成される。第２ボディ部材のガス流路は、第１ボディ部材との合わせ面にて溝状に形成されることによって、複雑に入り組んだ経路を実現する。第１ボディ部材と第２ボディ部材は、主ガス流路が延びる方向に組み合わせて連結され、ネジ止めによって一体に組み付けられる構成である。
【先行技術文献】
【特許文献】
【０００４】
【特許文献１】特開２０１５−３６５９５号公報
【発明の概要】
【発明が解決しようとする課題】
【０００５】
しかしながら、特許文献１に記載の火力調整機構は、ボディ部材にネジの固定部を設ける必要があり、小型化が難しかった。また、第２ボディ部材側のガス流路が合わせ面にて溝状に開放するため、すべての溝を大きなパッキンで覆い、ガス漏れを防ぐ必要がある。加えて、２つのボディ部材の合わせ面を主ガス流路と分岐流路が通過する構成であるため、第１ボディ側の合わせ面にもパッキンを設けてガス漏れを防ぎつつ、２つのパッキンに透孔を設け、ガスの流通を確保する必要がある。更にパッキンを補強するため、金属製の閉鎖板を２つのパッキンの間に配置する必要があり、部品点数が増え、小型化も難しかった。
【０００６】
本発明の目的は、小型化を図ることができるガスコンロのガス分配装置、ガバナ装置及びガスコンロを提供することである。
【課題を解決するための手段】
【０００７】
本発明の請求項１に係る発明のガスコンロのガス分配装置は、ガスコンロの筐体内に設けられるグリル庫内に収容する被調理物を加熱する上火バーナ及び下火バーナと、ガスの供給圧を調圧して前記上火バーナ及び前記下火バーナにガスを供給するガスガバナとの間に設けられ、前記ガスガバナから供給されるガスを流通し、前記上火バーナと前記下火バーナに分配するガスコンロのガス分配装置であって、ガスの流路が形成される流路本体部と、前記流路本体部の一端部側に設けられ、前記ガスガバナから供給されるガスの入口である導入口と、前記導入口から前記流路本体部の他端部側へ向けて延びる流路であるメイン流路と、前記他端部にて凹部形成され、凹部内にて前記メイン流路に連通し、前記メイン流路を介して流入するガスを分配して凹部内の２つの分配口から夫々排出可能な分配室と、前記分配室の開口部分を蓋し、且つ前記２つの分配口を夫々開閉可能な２つの電磁弁と、前記流路本体部の外面の一つである第一面に設け、前記下火バーナに供給するガスの出口である下火供給口と、前記第一面に設け、前記上火バーナに供給するガスの出口である上火供給口と、前記２つの分配口のうち、一方の分配口から前記下火供給口へ向けて延びるガスの流路である下火分配路と、前記２つの分配口のうち、他方の分配口から前記上火供給口へ向けて延びるガスの流路である上火分配路と、を備え、前記下火分配路と前記上火分配路は夫々、前記メイン流路が延びる第一方向に沿う流路部分である第一流路部分と、前記第一方向に交差する第二方向に沿う流路部分である第二流路部分のうちの少なくとも一方の流路部分を含んで形成され、前記第一流路部分は、前記分配室と連通し、前記流路本体部内にて前記第一方向に沿って延びる筒穴状に形成された流路であり、前記第二流路部分は、前記流路本体部の前記第一面とは反対側の第二面にて溝状に形成され、且つ前記第二面に固定される蓋体によって、溝の開放部分が閉じられた流路であることを特徴とする。
【０００８】
請求項２に係る発明のガスコンロのガス分配装置は、請求項１に記載の発明の構成に加え、前記第一面に設け、前記下火供給口よりも前記分配室側にて前記下火分配路に接続し、一定量のガスが通過可能な第一制限弁が配置される第一制限室と、前記分配室と、前記第一制限室とを接続し、前記第一制限弁によりガスの流量を制限しつつ前記分配室から前記下火分配路にガスをバイパスして流す第一接続路と、を備え、前記第一接続路は、前記分配室内から前記第一方向に沿って筒状に延びる前記第一流路部分からなり、前記第一制限室に接続することを特徴とする。
【０００９】
請求項３に係る発明のガスコンロのガス分配装置は、請求項１又は２に記載の発明の構成に加え、前記下火分配路及び前記上火分配路において、前記分配室と接続する部分は前記第一流路部分によって構成されることを特徴とする。
【００１０】
請求項４に係る発明のガスコンロのガス分配装置は、請求項１から３のいずれかに記載の発明の構成に加え、前記他端部で、前記分配室の前記第二方向の側方に凹部形成し、且つ前記上火分配路の途中に設け、前記上火分配路におけるガスの流通を制御する弁室と、前記弁室の開口部分を蓋し、且つ凹部内で前記上火分配路との接続口を開閉可能な１つの電磁弁と、を備え、前記上火分配路のうち、前記分配室と前記弁室とを接続する第一分配路と、前記弁室と前記上火供給口とを接続する第二分配路は、夫々前記第二流路部分を含み、前記第一分配路の前記第二流路部分と、前記第二分配路の前記第二流路部分とは、前記メイン流路の側方で、前記分配室に隣接する位置にて、互いに隣接して形成されたことを特徴とする。
【００１１】
請求項５に係る発明のガスコンロのガス分配装置は、請求項４に記載の発明の構成に加え、前記第一面に設け、前記弁室よりも前記分配室側にて前記上火分配路に接続し、一定量のガスが通過可能な第二制限弁が配置される第二制限室と、前記分配室と、前記第二制限室とを接続し、前記第二制限弁によりガスの流量を制限しつつ前記分配室から前記上火分配路にガスをバイパスして流す第二接続路と、を備え、前記第二接続路は、前記分配室内から前記第一方向に沿って筒状に延びる前記第一流路部分からなり、前記第二制限室に接続することを特徴とする。
【００１２】
請求項６に係る発明のガスコンロのガス分配装置は、請求項４又は５に記載の発明の構成に加え、前記上火分配路が前記弁室と接続する部分は、前記第一流路部分によって構成されることを特徴とする。
【００１３】
請求項７に係る発明のガバナ装置は、請求項１〜６のいずれかに記載のガスコンロのガス分配装置と、外部から取り込んだガスの圧力を調圧して供給するガスガバナと、を備え、前記流路本体部は、前記一端部に、前記導入口に接続し、且つ外部からガスを取り込む取込口を有し、前記ガスガバナを配置する配置部を一体に設けたことを特徴とする。
【００１４】
請求項８に係る発明のガバナ装置は、請求項７に記載の発明の構成に加え、前記メイン流路は、前記第二面にて溝状に形成され、溝内に、前記導入口と溝底とを段状に接続する段部を設けたことを特徴とする。
【００１５】
請求項９に係る発明のガスコンロは、筐体内に、被調理物を収納するグリル庫と、前記グリル庫内に収容する被調理物を加熱する上火バーナ及び下火バーナと、請求項７又は８に記載のガバナ装置と、前記上火供給口及び前記下火供給口と、前記上火バーナ及び前記下火バーナとを夫々接続するガス管と、を備えたことを特徴とする。
【発明の効果】
【００１６】
請求項１に係る発明のガスコンロのガス分配装置によれば、ガス分配装置の流路本体部は例えばダイカスト製で一部品からなり、第一面側と第二面側を形成する型を用いて射出成型により形成することができる。第二流路部分は第二面に溝状に設けられるので、第二面側を形成する型によって容易に形成できる。また、第一流路部分は第一方向に沿う筒穴状であり、他端部に設けられる分配室に連通する。故に分配室と第一流路部分は、中子を用いることによって、第二流路部分と共に一度の射出成型で形成することができる。そして、第一流路部分と第二流路部分を組み合わせれば、複雑な経路のガス流路を形成することができる。したがって、下火分配路と上火分配路を設けた流路本体部は、型によって形成される一つの部品として得ることができる。故にガス分配装置は、装置全体の小型化を図ることができる。
【００１７】
請求項２に係る発明のガスコンロのガス分配装置によれば、請求項１に記載の発明の効果に加え、ガスをバイパスするために設けられる第一接続路は第一流路部分からなるので、流路本体部は、第一接続路を容易に形成することができる。故にガス分配装置は、装置全体の小型化を図ることができる。
【００１８】
請求項３に係る発明のガスコンロのガス分配装置によれば、請求項１又は２に記載の発明の効果に加え、分配室は凹部形成される。下火分配路と上火分配路における分配室と接続する部分を第一流路部分によって構成することで、流路本体部は、型による成型において、接続部分と分配室を中子によって一体に作製することができる。
【００１９】
請求項４に係る発明のガスコンロのガス分配装置によれば、請求項１から３のいずれかに記載の発明の効果に加え、上火分配路の途中に弁室を設けることで、上火分配路の経路が複雑化するが、第一流路部分と第二流路部分を含んで構成することによって、流路本体部は、上火分配路を容易に形成することができる。また、第一分配路の第二流路部分と第二分配路の第二流路部分が、メイン流路の側方で、分配室に隣接する位置にて、互いに隣接して形成されているので、流路本体部におけるメイン流路と第一分配路と第二分配路の配置スペースを省スペース化し、流路本体部の小型化を図ることができる。
【００２０】
請求項５に係る発明のガスコンロのガス分配装置によれば、請求項４に記載の発明の効果に加え、ガスをバイパスするために設けられる第二接続路は第一流路部分からなるので、流路本体部は、第二接続路を容易に形成することができる。故にガス分配装置は、装置全体の小型化を図ることができる。
【００２１】
請求項６に係る発明のガスコンロのガス分配装置によれば、請求項４又は５に記載の発明の効果に加え、弁室は凹部形成される。上火分配路における弁室と接続する部分を第一流路部分によって構成することで、流路本体部は、型による成型において、接続部分と弁室を中子によって一体に作製することができる。
【００２２】
請求項７に係る発明のガバナ装置によれば、流路本体部にガスガバナの配置部を設けることで、ガスガバナと、請求項１〜６のいずれかに記載のガスコンロのガス分配装置を一体化することができる。故にガバナ装置の小型化を図ることができる。
【００２３】
請求項８に係る発明のガバナ装置によれば、請求項７に記載の発明の効果に加え、導入口を配置部の側方に設けるのではなく、配置部と重なる位置に形成する場合、配置部の肉厚を確保するためには、導入口付近の形状を、ガスガバナのダイヤフラムの形状に合わせて成形する必要がある。ガバナ装置は、第二面側を形成する型でメイン流路を溝状に形成することによって、メイン流路の溝内に導入口と溝底を接続する段部を、金型により、容易に形成し、配置部の肉厚を確保することができる。これにより、流路本体部と配置部とを、より近接させて配置することができるので、ガバナ装置の更なる小型化を図ることができる。
【００２４】
請求項９に係る発明のガスコンロによれば、請求項７又は８に記載のガバナ装置の小型化を図ることにより、ガスコンロは、筐体内における配置レイアウトの自由度を確保することができる。
【００２５】
なお、本発明は、請求項１から９の夫々の発明特定事項を任意に組み合わせてもよい。
【図面の簡単な説明】
【００２６】
【図１】ガスコンロ１の斜視図である。
【図２】天板３と右バーナ４を外したガスコンロ１の平面図である。
【図３】グリル装置２０に供給するガスの流路構成を示す図である。
【図４】ガバナ装置５０の斜視図である。
【図５】ガバナ装置５０の分解斜視図である。
【図６】基体８０を後方斜め左上方から見た斜視図である。
【図７】基体８０を前方斜め右下方から見た斜視図である。
【図８】基体８０の平面図である。
【図９】基体８０の底面図である。
【図１０】基体８０の背面図である。
【発明を実施するための形態】
【００２７】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２８】
図１、図２を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。天板３の後方部には、筐体２内に設置されたグリル装置２０（図２参照）の排気口７が設けられる。
【００２９】
ガスコンロ１の前面の略中央には、グリル扉８が設けられる。グリル扉８は、グリル装置２０に設けられるグリル庫２５（図３参照）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１、１２は、夫々、右バーナ４、グリル庫２５内の上火バーナ２６と下火バーナ２７（図３参照）の点火、消火及び火力調節を行う為に操作される。操作つまみ１３、１４は、夫々、奥バーナ６、左バーナ５の点火、消火及び火力調節を行う為に操作される。
【００３０】
ガスコンロ１は、右バーナ４と、左バーナ５と、奥バーナ６と、上火バーナ２６及び下火バーナ２７にガスを供給する４つの燃料供給装置を備える。そのうち、右バーナ４にガスを供給する燃料供給装置３０（図２参照）は、プッシュ・プッシュ機構、メイン弁、安全弁、ガス流路、流量調節カム等（図示略）を備えた装置である。操作つまみ１１は、燃料供給装置３０の前端部に取り付けられる。燃料供給装置３０は、操作つまみ１１の押し込み操作と回動操作により、右バーナ４の点火と消火、及び右バーナ４に供給するガス量の調節を行う。押し込み操作は、操作つまみ１１の前面を後方へ押圧し、ガスコンロ１の前面よりも奥側に押し込む操作である。
【００３１】
プッシュ・プッシュ機構は公知のカム機構により、押し込み操作が行われる度に、操作つまみ１１を待機位置と操作位置に交互に移動し、各位置に応じてメイン弁を開放状態又は閉鎖状態に維持する。待機位置は、操作つまみ１１の先端面が、ガスコンロ１の前面とほぼ面一となる位置である。待機位置にあるとき、メイン弁は閉鎖状態にあり、燃料供給装置３０は右バーナ４へのガスの供給を遮断する。操作位置は、操作つまみ１１の先端面が、待機位置よりも前方に突出する位置である。操作位置にあるとき、メイン弁は開放状態にあり、燃料供給装置３０は右バーナ４へのガスの供給が可能な状態にある。操作位置にあるとき、操作つまみ１１は、前後方向に沿う軸を中心に回転可能（回動操作可能）である。
【００３２】
回動操作は、操作つまみ１１の側面を把持し、前後方向の軸を中心に回転する操作である。ガス流量調節カムは、回動操作に応じて流量調節弁（図示略）を動かし、右バーナ４に供給するガスの流量を調節する。安全弁は、ガス流路を閉じる閉状態に弾性付勢された電磁操作式の弁である。なお、左バーナ５と奥バーナ６にガスを供給する燃料供給装置（図示略）は、燃料供給装置３０と同一構成であるので、説明を省略する。操作つまみ１３、１４も同様に、燃料供給装置の前端部に取り付けられる。
【００３３】
グリル装置２０にガスを供給する燃料供給装置４０は、燃料供給装置３０と同様のプッシュ・プッシュ機構、安全弁４１、メイン弁４２（図３参照）、ガス流路等を備えるが、流量調節カムと流量調節弁は備えない。操作つまみ１２は燃料供給装置４０の前端部に取り付けられる。燃料供給装置４０は操作つまみ１２の押し込み操作によって、メイン弁４２を開放状態又は閉鎖状態に維持する。また、安全弁４１は、操作つまみ１２の押し込み操作によって開放状態になり、ガスコンロ１の制御装置（図示略）からの通電によって、開放状態が維持される。また、異常発生等により制御装置が通電を停止すると、安全弁４１は閉鎖状態になる。燃料供給装置４０は、安全弁４１とメイン弁４２の開閉を行い、後述するガバナ装置５０（図４参照）にガスを供給する。
【００３４】
また、燃料供給装置４０は、操作つまみ１２の回転軸の周りに複数（本実施形態では２つ）のマイクロスイッチ（図示略）を有する。操作つまみ１２が操作位置にあるとき、燃料供給装置４０は、操作つまみ１２の回動操作に応じてマイクロスイッチのオン・オフ状態の組み合わせを切り替えることができる。ガバナ装置５０は、マイクロスイッチのオン・オフ状態の組み合わせに応じて燃料供給装置４０から供給されるガスの流量を調節し、上火バーナ２６と下火バーナ２７に供給する。
【００３５】
図３を参照し、グリル装置２０にガスを供給する流路の構成について説明する。グリル装置２０のグリル庫２５に設けられる上火バーナ２６と下火バーナ２７は、燃料供給装置４０とガバナ装置５０を介して外部から供給されるガスを燃焼する。燃料供給装置４０は、上記したように、安全弁４１とメイン弁４２を備え、ガスの流路上に直列に配置する。よって、安全弁４１とメイン弁４２が共に開放状態である場合にのみ、燃料供給装置４０は、ガバナ装置５０にガスを供給する。
【００３６】
ガバナ装置５０は、筐体２内で燃料供給装置４０の後方且つ下方に設置され（図２参照）、ガス管５１によって燃料供給装置４０と接続される。ガバナ装置５０の詳細な構造については後述する。ガバナ装置５０はガスガバナ６０とガス分配装置７０を備える。ガスガバナ６０は、燃料供給装置４０から供給されるガスの供給圧を調圧してガス分配装置７０に供給する。
【００３７】
ガス分配装置７０は、ガスガバナ６０に調圧されたガスを、上火バーナ２６と下火バーナ２７に分配する。ガバナ装置５０と上火バーナ２６及び下火バーナ２７は、ガス管４５及びガス管４６によって夫々接続される。下火バーナ２７にガスを分配する流路には、電磁弁７１とニードル弁７４が設けられる。電磁弁７１は、燃料供給装置４０のマイクロスイッチのオン・オフ状態の組み合わせに応じて駆動し、下火バーナ２７に流通するガスの流路を開閉する。ニードル弁７４は、電磁弁７１をバイパスする流路に設けられる。よって、電磁弁７１がガスの流路を閉鎖しても、ガスは、ニードル弁７４を介するバイパス流路を通り、下火バーナ２７に流通される。ニードル弁７４を介するバイパス流路を通るガスの流量は、電磁弁７１を介する流路を通るガスの流量よりも少ない。
【００３８】
上火バーナ２６にガスを分配する流路には、電磁弁７２、７３とニードル弁７５が設けられる。電磁弁７２と電磁弁７３は直列に配置される。電磁弁７２は、燃料供給装置４０のマイクロスイッチのオン・オフ状態の組み合わせに応じて駆動し、上火バーナ２６に流通するガスの流路を開閉する。ニードル弁７５は、電磁弁７２をバイパスする流路に設けられる。よって、電磁弁７２がガスの流路を閉鎖しても、ガスは、ニードル弁７５を介するバイパス流路を通り、上火バーナ２６に流通される。ニードル弁７５を介するバイパス流路を通るガスの流量は、電磁弁７２を介する流路を通るガスの流量よりも少ない。また、電磁弁７３は、ガスコンロ１の制御装置（図示略）からの指示に従い駆動し、上火バーナ２６に流通するガスの流路を開閉する。
【００３９】
このように、ガバナ装置５０は、マイクロスイッチに対応する３つの電磁弁７１、７２の駆動状態を切り替えて、上火バーナ２６と下火バーナ２７の火力を夫々調節する。電磁弁７３は、上火バーナ２６と下火バーナ２７の火力の調節が、操作つまみ１２の回動操作によって行われる場合には、開放状態に制御される。上火バーナ２６は、電磁弁７２が開放状態のとき強火で燃焼し、電磁弁７２が閉鎖状態のとき弱火で燃焼する。下火バーナ２７は、電磁弁７１が開放状態のとき強火で燃焼し、電磁弁７１が閉鎖状態のとき弱火で燃焼する。燃料供給装置４０とガバナ装置５０は、上火バーナ２６と下火バーナ２７の夫々の燃焼状態を弱火又は強火で組み合わせてグリル庫２５内を加熱することで、様々な調理に対応することができる。なお、ユーザの操作に基づき、上火バーナ２６を消火し、上火による表面の焦げ付きを防止した調理に適した調理モードが設定された場合、制御装置は電磁弁７１〜７３を閉鎖状態にする。これにより、上火バーナ２６は消火され、下火バーナ２７は弱火で燃焼することができる。
【００４０】
次に、図４〜図１０を参照し、ガバナ装置５０の構造について説明する。図４、図５に示すように、ガバナ装置５０は、ガスガバナ６０と、ガス分配装置７０を一体に形成した装置である。ガバナ装置５０は、ガスガバナ６０、配置部６１、ガス分配装置７０、留め具５３、ガス管５１を備える。ガス分配装置７０は、流路本体部８１、電磁弁７１〜７３、固定金具５６、５７、パッキン５８、５９、ニードル弁７４、７５、コルクパッキン５４、蓋体５５を備える。配置部６１と流路本体部８１は、基体８０として一体に成形される。
【００４１】
まず、基体８０の構造について説明する。図６〜図１０に示すように、基体８０は、溶融した金属（例えばアルミニウム又はアルミニウム合金）を上下方向に分割される金型に圧入して成形した、いわゆるダイカストである。基体８０は、上記のように、配置部６１と流路本体部８１を有する。配置部６１は、流路本体部８１の前側に設けられる。基体８０の右端部は、平面視（図８参照）で流路本体部８１と配置部６１の右端部を揃えて形成され、左端部は、流路本体部８１が配置部６１よりも左方に大きく形成される。なお、図６〜図９において、流路本体部８１内を流通するガスの流れを太線（実線又は点線）で示し、ガスが流れる向きを矢印で示す。
【００４２】
配置部６１は、ガスガバナ６０を組み付ける部位である。ガスガバナ６０は公知であるので詳細な説明は省略するが、内部にばねと弁体とダイヤフラム（図示略）を備える。弁体は、ばねの付勢により弁を開く向きに押圧される。ダイヤフラムは、入口側から流入するガスの圧力が高くなるに従い、ばね圧に抗して弁を閉じる向きに弁体を動かす。ガスガバナ６０は、入口側のガス圧が変化しても、出口側のガス圧が略一定となるように、ガス圧を調圧する。
【００４３】
配置部６１は、基体８０の上面側で、ダイヤフラムの形状に合わせて円形凹部状に形成される。配置部６１の左部には、燃料供給装置４０からガス管５１を介して供給されるガスを取り込む取込口５２が形成される。取込口５２は、配置部６１内にて弁体が配置される縦穴６２内に連通する。また、配置部６１のダイヤフラムが配置される部位には、流路本体部８１に連通する導入口７６が形成される。
【００４４】
流路本体部８１は、メイン流路８２を有する。メイン流路８２は導入口７６に接続し、導入口７６から流路本体部８１の後端部へ向けて真っ直ぐ後方に延びる。なお、流路本体部８１が有するガスの流路のうち、メイン流路８２と同じ前後方向に延びる部分を、便宜上「第一流路部分」という。メイン流路８２は、流路本体部８１の底面８１Ａにて開口する溝状に形成される。メイン流路８２の前端部は、平面視で配置部６１と重なる。配置部６１は凹部形成されているので、メイン流路８２の前端部における溝内底部は、配置部６１の凹部内底部と上下方向において近い。溝内底部と凹部内底部との間の肉厚を確保するため、メイン流路８２の前端部には溝内底部を段状に形成した段部８２Ａが設けられる。段部８２Ａの最上段は溝内に位置しており、導入口７６は、段部８２Ａの最上段に開口され、配置部６１内とメイン流路８２を連通する。
【００４５】
流路本体部８１の後端部には、分配室８５が設けられる。分配室８５は後側が開口し、前方へ向けて凹む凹部状に形成される。分配室８５の開口部分は左右方向に長い長円形状を呈する（図１０参照）。分配室８５は、金型による成形時に、金型に後方から前向きに差し込まれる中子によって形成される。分配室８５内には後述する電磁弁７１、７２の弁体（図示略）が配置される。開口部分の周囲には、環状のパッキン５８（図５参照）を配置する溝部８５Ｂが形成される。メイン流路８２の後端部は分配室８５の底部に接続する。分配室８５の底部には穴部８５Ａが開口され、分配室８５とメイン流路８２は穴部８５Ａを介して連通する。
【００４６】
分配室８５の底部において、穴部８５Ａの右側と左側には、分配口８５Ｃ、８５Ｄが夫々開口する。また、分配室８５の底部において、分配口８５Ｃの上側にはバイパス口８５Ｅが開口し、分配口８５Ｄの上側にはバイパス口８５Ｆが開口する。
【００４７】
右側の分配口８５Ｃは、下火分配路８６に接続する。下火分配路８６は、分配室８５と下火供給口７８とを接続するガスの流路である。下火分配路８６は、分配口８５Ｃから前方へ向けて真っ直ぐ円筒状に延びる（図６参照）。下火分配路８６は、第一流路部分からなる。下火分配路８６の前端部は、前後方向において基体８０の略中央（流路本体部８１の前部）に位置する。分配口８５Ｃと下火分配路８６は、分配室８５を形成する中子によって形成される。
【００４８】
流路本体部８１の上面８１Ｂには、下火供給口７８が設けられる。下火供給口７８は上面８１Ｂにて円形の凹部状に形成され、底部中央に、下火分配路８６の前端部に連通する穴部７８Ａを開口する。下火供給口７８には、下火バーナ２７にガスを送るガス管４６（図２参照）が接続される。
【００４９】
右上側のバイパス口８５Ｅは、バイパス路８８に接続する。バイパス路８８は、バイパス口８５Ｅから真っ直ぐ前方に延びる扁平筒状の流路である（図６参照）。前後方向において、下火供給口７８と分配室８５の間の上面８１Ｂには、ニードル弁室８７が設けられる。ニードル弁室８７は上面８１Ｂにて上下に長い円形の凹部状に形成され、底部中央に、下火分配路８６の中央部に連通する穴部８７Ａを開口する。ニードル弁室８７の後側側部には、穴部８７Ｂ（図６、図８参照）が開口する。バイパス路８８は、バイパス口８５Ｅと穴部８７Ｂの間を接続する。バイパス路８８とニードル弁室８７は、分配室８５と下火分配路８６とを、分配口８５Ｃを介さずに接続する流路を形成する。
【００５０】
分配室８５は、左側の分配口８５Ｄを介して上火分配路９０に連通する。第一分配路９１内における分配口８５Ｄは、第一分配路９１右端部の後側側部に開口する。上火分配路９０は、分配室８５と上火供給口７７とを接続するガスの流路である。上火分配路９０は、第一分配路９１、弁室９５、第二分配路９２を含む。第一分配路９１は左右方向に延び、右端部において分配口８５Ｄに接続する。なお、流路本体部８１が有するガスの流路のうち、メイン流路８２と交差する左右方向に延びる部分を、便宜上「第二流路部分」という。第一分配路９１は、第二流路部分からなる。第一分配路９１は、底面８１Ａにて開口する溝状に形成される。第一分配路９１の右端部は、メイン流路８２の左側に位置し、メイン流路８２とは壁部で隔てて設けられる。
【００５１】
弁室９５は、流路本体部８１の後端部において、分配室８５の左側に設けられる。弁室９５は後側が開口し、前方へ向けて凹む凹部状に形成される。弁室９５の開口部分は円形状を呈する（図１０参照）。弁室９５は、分配室８５と同様の中子によって形成される。弁室９５内には後述する電磁弁７３の弁体（図示略）が配置される。開口部分の周囲には、環状のパッキン５９（図５参照）を配置する溝部９５Ｂが形成される。第一分配路９１の左端部は弁室９５の底部右側に接続する。弁室９５の底部右端には穴部９５Ａが開口され、弁室９５と第一分配路９１は穴部９５Ａを介して連通する。また、弁室９５の底部中央には、接続口９５Ｃが開口する。
【００５２】
弁室９５は、接続口９５Ｃを介して第二分配路９２に連通する。第二分配路９２内における接続口９５Ｃは、第二分配路９２後端部の後側側部に開口する。第二分配路９２の後端部は第一分配路９１左端部の左側に位置する。第二分配路９２は後端部から前方に延び、斜めに屈曲して更に右方に延びる。第二分配路９２の前方に延びる部分は、メイン流路８２と平行に延びる第一流路部分である。第二分配路９２の右方に延びる部分は第二流路部分であり、第一分配路９１の前側にて第一分配路９１と並列に配置される。このように、上火分配路９０は、第一流路部分と第二流路部分を含んで形成される。
【００５３】
第二分配路９２の右端部は、前後方向及び左右方向において、基体８０の略中央（流路本体部８１の前部）に位置し、メイン流路８２の左側、且つ第一分配路９１右端部の前側に位置する。第二分配路９２の右端部と、下火分配路８６前端部は、メイン流路８２を挟んで左右方向の反対側に位置する。第二分配路９２は、底面８１Ａにて開口する溝状に形成される。第二分配路９２は、メイン流路８２及び第一分配路９１とは壁部を隔てて設けられる。なお、第二分配路９２の屈曲部分において溝内底部に開口する穴部９２Ａは、ガスコンロ１の製造時やメンテナンス時に用いるサービスポートであり、普段はガスケットとネジ止めにより封止される。
【００５４】
流路本体部８１の上面８１Ｂで、下火供給口７８の左側には、上火供給口７７が設けられる。上火供給口７７は上面８１Ｂにて円形の凹部状に形成され、底部中央に、第二分配路９２の右端部に連通する穴部７７Ａ（図８参照）を開口する。第二分配路９２内における穴部７７Ａは、第二分配路９２右端部の溝内底部に開口する。上火供給口７７には、上火バーナ２６にガスを送るガス管４５（図２参照）が接続される。
【００５５】
分配室８５内のバイパス口８５Ｆは、バイパス路９８に接続する。バイパス路９８は、バイパス口８５Ｆから真っ直ぐ前方に延びる扁平筒状の流路である（図６参照）。前後方向において、上火供給口７７と分配室８５の間の上面８１Ｂには、ニードル弁室９７が設けられる。ニードル弁室９７は上面８１Ｂにて上下に長い円形の凹部状に形成され、底部中央に、第一分配路９１の右端部に連通する穴部９７Ａ（図８参照）を開口する。ニードル弁室９７の後側側部には、穴部９７Ｂ（図６、図８参照）が開口する。バイパス路９８は、バイパス口８５Ｆと穴部９７Ｂの間を接続する。バイパス路９８とニードル弁室９７は、分配室８５と第一分配路９１とを、分配口８５Ｄを介さずに接続する流路を形成する。
【００５６】
上記構成の基体８０に、各種部品を組み付けて、ガバナ装置５０は完成する。図４、図５に示すように、ガスガバナ６０は基体８０の配置部６１にネジで固定する。取込口５２にはガス管５１が接続され、抜け防止の留め具５３が取込口５２とガス管５１を覆い、ネジで固定される。ニードル弁７４は、ニードル弁室８７に挿入される。ニードル弁７４は、２つのＯリング７４Ａ、７４Ｂを備える。Ｏリング７４Ａはニードル弁７４の上部に装着され、ニードル弁室８７にニードル弁７４を挿入するための上部の開口を封止する。Ｏリング７４Ｂはニードル弁７４の下部に装着され、ニードル弁室８７と下火分配路８６を連通する穴部８７Ａを封止する。ニードル弁７４の側方には、ネジ７４Ｃが締結される。ネジ７４Ｃは、ネジ頭でニードル弁７４の上部を押さえ、ニードル弁室８７に固定する。ニードル弁７４は、Ｏリング７４ＡとＯリング７４Ｂの間の側面に横穴７４Ｄを開口し、且つ下面にＯリング７４Ｂの内側を通り横穴７４Ｄに連通する細穴（図示略）を開口する。横穴７４Ｄはニードル弁室８７内でバイパス路８８の穴部８７Ｂに対面し、細穴は穴部８７Ａを介して下火分配路８６に対面する。故に、分配室８５からバイパス路８８を通りニードル弁室８７内に流れるガスは、横穴７４Ｄと細穴を通り、下火分配路８６に流通することができる。ニードル弁７４は、ニードル弁室８７を流通するガスを遮断しないが、細穴によって、ガスの流量を制限することができる。
【００５７】
ニードル弁７５の構成もニードル弁７４と同様の構成であり、２つのＯリング７５Ａ、７５Ｂを備える。Ｏリング７５Ａはニードル弁７５の上部に装着され、ニードル弁室９７にニードル弁７５を挿入するための上部の開口を封止する。Ｏリング７５Ｂはニードル弁７５の下部に装着され、ニードル弁室９７と第一分配路９１を連通する穴部９７Ａを封止する。ニードル弁７５の側方に締結されるネジ７５Ｃは、ニードル弁室９７に挿入されたニードル弁７５の上部をネジ頭で押さえる。ニードル弁７５は、Ｏリング７５ＡとＯリング７５Ｂの間の側面に横穴７５Ｄを開口し、且つ下面にＯリング７５Ｂの内側を通り横穴７５Ｄに連通する細穴（図示略）を開口する。横穴７５Ｄはニードル弁室９７内でバイパス路９８の穴部９７Ｂに対面し、細穴は穴部９７Ａを介して第一分配路９１に対面する。故に、分配室８５からバイパス路９８を通りニードル弁室９７内に流れるガスは、横穴７５Ｄと細穴を通り、第一分配路９１に流通することができる。ニードル弁７５は、ニードル弁室９７を流通するガスを遮断しないが、細穴によって、ガスの流量を制限することができる。
【００５８】
電磁弁７１、７２は、固定金具５６に一体に保持され、パッキン５８を介して分配室８５の後部に固定される。固定金具５６とパッキン５８によって開口部分が蓋されることによって、分配室８５は密閉される。電磁弁７１、７２の弁体は、夫々、分配室８５内で分配口８５Ｃ、８５Ｄの後方に配置される。電磁弁７１、７２が駆動すると、弁体は夫々分配口８５Ｃ、８５Ｄを閉鎖し、ガスの流路を、バイパス路８８、９８を介した流路に制限する。
【００５９】
電磁弁７３は、固定金具５７に保持され、パッキン５９を介して弁室９５の後部に固定される。固定金具５７とパッキン５９によって開口部分が蓋されることによって、弁室９５は密閉される。電磁弁７３の弁体は、弁室９５内で接続口９５Ｃの後方に配置される。電磁弁７３が駆動すると、弁体は接続口９５Ｃを閉鎖し、上火バーナ２６へのガスの流通を遮断する。
【００６０】
蓋体５５は、流路本体部８１の底面８１Ａ側にネジで固定される。蓋体５５はＬ字の板状で、底面８１Ａにおいて溝状に形成されたメイン流路８２、第一分配路９１及び第二分配路９２の開口部分の全体を覆う。蓋体５５と底面８１Ａの間にはコルクパッキン５４が配置される。コルクパッキン５４もＬ字の板状で、蓋体５５よりは小さく形成され、メイン流路８２、第一分配路９１及び第二分配路９２の開口部分の全体を覆う。図７に示すように、底面８１Ａは、メイン流路８２、第一分配路９１及び第二分配路９２の周囲を囲うＬ字形状の部分が僅かに凹部状に形成されている。コルクパッキン５４の外形形状は、底面８１Ａの凹部形状に合わせた形状である。
【００６１】
底面８１Ａは、左端部に切欠部８１Ｃを有する。図４，図５に示すように、コルクパッキン５４は、切欠部８１Ｃに対応する部分に、左方に突出する突出部５４Ａを有する。蓋体５５がコルクパッキン５４を挟んで流路本体部８１に固定された場合に、突出部５４Ａは、切欠部８１Ｃから流路本体部８１の左方に飛び出す。これにより、ガバナ装置５０の組み立て時に、コルクパッキン５４の組み付けの有無を目視で確認することができる。ガバナ装置５０は、筐体２に蓋体５５を組み付けてネジで固定することによって、ガスコンロ１に取り付けられる。図２に示すように、筐体２内でガバナ装置５０の左側には若干の空きスペースが設けてあるので、筐体２にガバナ装置５０を組み付けた後であっても、コルクパッキン５４の有無を目視で確認することができる。
【００６２】
以上説明したように、ガス分配装置７０の流路本体部８１は例えばダイカスト製で一部品からなり、上面８１Ｂ側と底面８１Ａ側を形成する型を用いて射出成型により形成することができる。第二流路部分は底面８１Ａに溝状に設けられるので、底面８１Ａ側を形成する型によって容易に形成できる。また、第一流路部分は前後方向に沿う筒穴状であり、後端部に設けられる分配室８５に連通する。故に分配室８５と第一流路部分は、中子を用いることによって、第二流路部分と共に一度の射出成型で形成することができる。そして、第一流路部分と第二流路部分を組み合わせれば、複雑な経路のガス流路を形成することができる。したがって、下火分配路８６と上火分配路９０を設けた流路本体部８１は、型によって形成される一つの部品として得ることができる。故にガス分配装置７０は、装置全体の小型化を図ることができる。
【００６３】
ガスをバイパスするために設けられるバイパス路８８は第一流路部分からなるので、流路本体部８１は、バイパス路８８を容易に形成することができる。故にガス分配装置７０は、装置全体の小型化を図ることができる。
【００６４】
分配室８５は凹部形成される。下火分配路８６と上火分配路９０における分配室８５と接続する分配口８５Ｄを第一流路部分によって構成することで、流路本体部８１は、型による成型において、分配口８５Ｄと分配室８５を中子によって一体に作製することができる。
【００６５】
上火分配路９０の途中に弁室９５を設けることで、上火分配路９０の経路が複雑化するが、第一流路部分と第二流路部分を含んで構成することによって、流路本体部８１は、上火分配路９０を容易に形成することができる。また、第一分配路９１の第二流路部分と第二分配路９２の第二流路部分が、メイン流路８２の側方で、分配室８５に隣接する位置にて、互いに隣接して形成されているので、流路本体部８１におけるメイン流路８２と第一分配路９１と第二分配路９２の配置スペースを省スペース化し、流路本体部８１の小型化を図ることができる。
【００６６】
ガスをバイパスするために設けられるバイパス路９８は第一流路部分からなるので、流路本体部８１は、バイパス路９８を容易に形成することができる。故にガス分配装置７０は、装置全体の小型化を図ることができる。
【００６７】
弁室９５は凹部形成される。上火分配路９０における弁室９５と接続する部分を第一流路部分によって構成することで、流路本体部８１は、型による成型において、接続部分と弁室９５を中子によって一体に作製することができる。
【００６８】
流路本体部８１にガスガバナ６０の配置部６１を設けることで、ガスガバナ６０とガス分配装置７０を一体化することができる。故にガバナ装置５０の小型化を図ることができる。
【００６９】
導入口７６を配置部６１の側方に設けるのではなく、配置部６１と重なる位置に形成する場合、配置部６１の肉厚を確保するためには、導入口７６付近の形状を、ガスガバナ６０のダイヤフラムの形状に合わせて成形する必要がある。ガバナ装置５０は、底面８１Ａ側を形成する型でメイン流路８２を溝状に形成することによって、メイン流路８２の溝内に導入口７６と溝底を接続する段部８２Ａを金型により容易に形成し、配置部６１の肉厚を確保することができる。これにより、流路本体部８１と配置部６１とを、より近接させて配置することができるので、ガバナ装置５０の更なる小型化を図ることができる。
【００７０】
ガバナ装置５０の小型化を図ることにより、ガスコンロ１は、筐体２内における配置レイアウトの自由度を確保することができる。
【００７１】
なお、本発明は上記実施形態に限定されるものではなく、種々の変更が可能である。配置部６１と流路本体部８１は基体８０の一部として一体に形成したが、別体であってもよい。基体８０はダイカスト製だが、削り出し等によって形成してもよい。下火分配路８６は中子により筒穴状に形成したが、底面８１Ａにおいて溝状に形成してもよい。または、メイン流路８２と、第二分配路９２において前後方向に延びる部分、即ち第一流路部分を中子により筒穴状に形成し、第二流路部分のみを底面８１Ａにおいて溝状に形成してもよい。
【００７２】
バイパス路８８、９８、ニードル弁室８７、９７、ニードル弁７４、７５はなくてもよい。代わりに、電磁弁７１、７２は、分配口８５Ｃ、８５Ｄの開放の度合いを段階的に変更できる弁であってもよい。メイン流路８２の段部８２Ａはなくてもよい。
【００７３】
上記説明において、上面８１Ｂが本発明の「第一面」の一例である。底面８１Ａが本発明の「第二面」の一例である。ニードル弁７４が本発明の「第一制限弁」の一例である。ニードル弁室８７が本発明の「第一制限室」の一例である。バイパス路８８が本発明の「第一接続路」の一例である。ニードル弁７５が本発明の「第二制限弁」の一例である。ニードル弁室９７が本発明の「第二制限室」の一例である。バイパス路９８が本発明の「第二接続路」の一例である。
【符号の説明】
【００７４】
１                          ガスコンロ
２                          筐体
２５                        グリル庫
２６                        上火バーナ
２７                        下火バーナ
４０                        燃料供給装置
４５、４６                  ガス管
５０                        ガバナ装置
５２                        取込口
５５                        蓋体
６０                        ガスガバナ
６１                        配置部
７０                        ガス分配装置
７１〜７３                  電磁弁
７４、７５                  ニードル弁
７６                        導入口
７７                        上火供給口
７８                        下火供給口
８１                        流路本体部
８１Ａ                      底面
８１Ｂ                      上面
８２                        メイン流路
８２Ａ                      段部
８５                        分配室
８５Ｃ、８５Ｄ              分配口
８６                        下火分配路
８７、９７                  ニードル弁室
８８、９８                  バイパス路
９０                        上火分配路
９１                        第一分配路
９２                        第二分配路
９５                        弁室
９５Ｃ                      接続口
【図１】
2019027658.tif 000003
【図２】
2019027658.tif 000004
【図３】
2019027658.tif 000005
【図４】
2019027658.tif 000006
【図５】
2019027658.tif 000007
【図６】
2019027658.tif 000008
【図７】
2019027658.tif 000009
【図８】
2019027658.tif 000010
【図９】
2019027658.tif 000011
【図１０】
2019027658.tif 000012